(57)【特許請求の範囲】
【請求項１】
挿入先端部ａ１が丸くすぼまった紡錘形状を有し、その形状の長手方向に沿って便収集格納凹み部ａ２を螺旋状に配置させた便秘解消用摘便棒であって、前記挿入先端部ａ１、前記便収集格納凹み部ａ２、前記便収集格納凹み部ａ２の周囲輪郭ａ３、前記便収集格納凹み部ａ２の前部ａ４、のそれぞれを長手方向に点対称形的に挿入先端部ｂ５、便収集格納凹み部ｂ６、前記便収集格納凹み部ｂ６の周囲輪郭ｂ７、前記便収集格納凹み部ｂ６の前部ｂ８として配置し瓢箪形状を与えて長手中央くびれ部９を設けた事を特徴とする便秘解消用摘便棒。
【請求項２】
前記挿入先端部ａ１、前記便収集格納凹み部ａ２、前記便収集格納凹み部ａ２の前記周囲輪郭ａ３、前記便収集格納凹み部ａ２の前記前部ａ４、のそれぞれを長手方向に点対称形的に前記挿入先端部ｂ５、前記便収集格納凹み部ｂ６、前記便収集格納凹み部ｂ６の前記周囲輪郭ｂ７、前記便収集格納凹み部ｂ６の前記前部ｂ８として配置し瓢箪形状を与えて前記長手中央くびれ部９を設け、さらに最大径Ｄ２１と最大径Ｄ’２２を異なるように設定した事を特徴とする請求項１記載の便秘解消用摘便棒。
【発明の詳細な説明】
【技術分野】
【０００１】  本発明は便秘の際に、手動にて肛門に挿入し回転を与える事により便が収集格納できる便秘解消用摘便棒に関するものである。
【背景技術】
【０００２】  従来の技術はリンゴの芯の抜き取り器のように肛門に器具を挿入し直腸内でドリルに似た回転子の回転により固結した便を掻き出しその器具内に格納し便秘を解消しようとするものである。第一に便を掻き出す回転子の外観形状から使用者は端末が鋭いドリルの刃をイメージし、肛門を傷つけないかとの不安があった。実際の使用に際しては目視による確認が必要であり、挿入角度や深さまた回転力など両手を使って慎重に操作する必要がある。長手方向の長さが短くはないことも一人で実施する事が難しい理由である。
実際の使用に際しては目視しながらの第３者の、出来れば専門家の援助が必要である。
他人に自分の肛門を見せ、さらに何かを挿入してもらう事は恥ずかしい事である。便秘が頻繁ならばその不安は尚更である。出来れば使用者が自分の力だけで自宅で安心してお手軽に使えて効果があるものが望ましい。従来技術はそういった点で安心感がなかった。
繰り返し使うものというのが基本条件ならばそのメンテナンスを衛生的に行う事も使用者には負担になる。以上この従来技術は使用者に対する安全安心簡単の配慮に欠けていた。（例えば特許文献１参照）
また棒の中心にネジ機構を設置し、手動にて肛門に挿入し引き抜きの際に便が引っかかることで摘便ができるという従来技術もあった。ネジの掻き出し効果はともあれ、あまりにもその形状がダイレクトに摘便ばかりを考え、人の安全，安心に対する配慮が欠けている従来技術だった。その外観は使用者が安心して無理なく挿入できるイメージからほど遠いものだった。使用後の洗浄などのメンテナンスも簡単ではないことも問題であった。
（例えば特許文献２参照）【０００３】以下、［図１５］により従来の技術（特許文献１）について説明する。図においてこの発明は８を直腸に挿入した後、２のドリルに似た回転子を回転させて１２の空室へ掻き出した便を格納しようとするものである。両手によって操作するのが望ましい。【０００４】  以下、［図１６］により従来の技術（特許文献２）について説明する。
図においてこの発明は中心棒２の先端にネジ機構を設置しそのネジ機構の後部２が便の排出の為に引き抜きの際、適当な引っかかりを発生するよう形状を構成した。この技術は便の引っかかりを重視するあまり肛門への安全安心を考慮しない鋭く尖った形状端末をしている。その外観は使用者が安心して無理なく挿入できるイメージからほど遠いものだった。
【先行技術文献】
【０００５】
【特許文献１】特開２００３−０７９７１９号公報
【特許文献２】実用新案登録第３１４２３３４号公報
【発明の概要】
【発明が解決しようとする課題】
【０００６】  以上に述べた従来技術には以下のような欠点があった。
（イ）、使用者の安全安心への配慮が欠けていた。
（ロ）、そのサイズが大きすぎるため患者自身が一人で自宅の便所にて片手で簡単に操作出来なかった。
（ハ）、実施時及び実施後における衛生面が考慮されていなかった。
（ニ）、その外観及びそれから来る機械感（工具感）は使用者に安心して手軽に使いたいと思わせるものではなかった。
（ホ）、一つで挿入部太さを複数選択肢から選べるものはなかった。
本発明は以上の問題点を解決するために発明されたものである。
【課題を解決するための手段】
【０００７】前記［請求項１］に記載の発明は、挿入先端部ａ１が丸くすぼまった紡錘形状を有し、その形状の長手方向に沿って便収集格納凹み部ａ２を螺旋状に配置させた便秘解消用摘便棒であって、前記挿入先端部ａ１、前記便収集格納凹み部ａ２、前記便収集格納凹み部ａ２の周囲輪郭ａ３、前記便収集格納凹み部ａ２の前部ａ４、のそれぞれを長手方向に点対称形的に挿入先端部ｂ５、便収集格納凹み部ｂ６、前記便収集格納凹み部ｂ６の周囲輪郭ｂ７、前記便収集格納凹み部ｂ６の前部ｂ８として配置し瓢箪形状を与えて長手中央くびれ部９を設けた便秘解消用摘便棒である事を特徴とする。【０００８】前記［請求項２］に記載の発明は、前記挿入先端部ａ１、前記便収集格納凹み部ａ２、前記便収集格納凹み部ａ２の前記周囲輪郭ａ３、前記便収集格納凹み部ａ２の前記前部ａ４、のそれぞれを長手方向に点対称形的に前記挿入先端部ｂ５、前記便収集格納凹み部ｂ６、前記便収集格納凹み部ｂ６の前記周囲輪郭ｂ７、前記便収集格納凹み部ｂ６の前記前部ｂ８として配置し瓢箪形状を与えて前記長手中央くびれ部９を設け、さらに最大径Ｄ２１と最大径Ｄ’２２を異なるように設定した請求項１記載の便秘解消用摘便棒である事を特徴とする。
【発明の効果】
【０００９】前記［請求項１］に記載の発明による効果は、挿入先端部ａ１を丸く（１．５Ｒ程度をかけて）すぼめたことにより挿入時に誤って皮膚へ突き刺す事を防止し、紡錘形状を持たせたことにより肛門への挿入と引き抜きが楽にできる。またその形状の長手方向に沿って前記便収集格納凹み部ａ２を螺旋状に配置した事により本発明を手動で回転させれば固結した便が便収集格納凹み部ａ２に収集格納され摘便できる。また回転により摘便効果を高めることができる。さらに便収集格納凹み部の周囲輪郭ａ３を連続した滑らかなラインで構成したことにより肛門への挿入と引き抜き及び回転がスムーズにでき摘便効果を高めることができる。また挿入先端形状と紡錘形状は見た目にも安全安心感を与えることができる。さらに、挿入先端部ａ１、便収集格納凹み部ａ２、便収集格納凹み部の周囲輪郭ａ３、便収集格納凹み部の前部ａ４、のそれぞれを長手方向に点対称形的に挿入先端部ｂ５、便収集格納凹み部ｂ６、便収集格納凹み部の周囲輪郭ｂ７、便収集格納凹み部の前部ｂ８として配置し瓢箪形状を与えて、長手中央くびれ部９を設けた事で肛門へ挿入した際、挿入ストップ機能が働き深く挿入しすぎないので安全である。直腸に本発明全部が入ってしまう心配がない。また本発明が前記長手中央くびれ部９の位置に停まろうとする働きがあるため回転操作が楽にできる。前記長手中央くびれ部９は小径であるため回転させる際、肛門への摩擦による負担が少ない効果がある。【００１０】前記［請求項２］に記載の発明による効果は、請求項１記載の発明による効果に加え、挿入先端部ａ１、便収集格納凹み部ａ２、便収集格納凹み部の周囲輪郭ａ３、便収集格納凹み部の前部ａ４、のそれぞれを長手方向に点対称形的に挿入先端部ｂ５、便収集格納凹み部ｂ６、便収集格納凹み部の周囲輪郭ｂ７、便収集格納凹み部の前部ｂ８として配置し瓢箪形状を与えて、長手中央くびれ部９を設け、さらに最大径Ｄ２１と最大径Ｄ’２２を異なるように設定した事で本発明の両側とも同機能を期待して使う事ができる。使用者は自分の肛門の大きさあるいはその時の体調などに応じて２種類の太さから選べるので経済的で便利である。またどちらかを選んで使用する際、挿入する側の反対側を手で持ち挿入したり回転したりするが、最大太さの部分ならびにその点における凹みが回転トルクの確保と回転滑り止め、あるいは挿入、引き抜き方向の滑り止めの働きをするので慎重で繊細な一連の手動摘便動作を可能にすることができる。【００１１】  以上、［０００９］及び［００１０］に、主に人間の便秘を想定しての発明の効果を記述したが、本発明は犬猫，牛馬などの動物用としても同様の効果を発揮する。
動物の場合は人（獣医など）の手によって実施される。そのサイズは人間用だと大きくても太めの万年筆程度が望ましいが動物用は身体の大きさ、肛門や直腸の大きさに応じ各種サイズを設定する。その形状と機能と効果はいずれも人間用と同様となる。ただし見た目の動物に与える心理効果は分からない。
【図面の簡単な説明】
【００１２】
【図１】  本発明を手で持って実施している図（人間の場合）
【図２】  正面図における各部の名称
【図３】  右側面図
【図４】  背面図
【図５】  左側面図
【図６】  正面図
【図７】  ［図６］に示される各線横断面図
【図８】  ［図７］に示されるＡ−Ａ線断面図の詳細図（渦巻き形状）
【図９】  回転による便の収集格納メカニズム図（回転前）
【図１０】  回転による便の収集格納メカニズム図（１８０°回転後）
【図１１】  ［図６］に示される４便収集格納凹み部の前部ａのＤ−Ｄ線断面図
【図１２】  ［図１１］の４便収集格納凹み部の前部ａに便が収集格納された図
【図１３】  ［図２］正面図  の立体図
【図１４】  ［図５］左側面図  の立体図
【図１５】  従来技術［特許文献１］の図面
【図１６】  従来技術［特許文献２］の図面
【発明を実施するための形態】
【００１３】  以下、本発明の実施の形態を［図２］〜［図１４］に基づいて説明する。
（イ）、［図２］に示すとおり挿入先端部ａ１が丸く（１．５Ｒ程度をかけて）すぼまった紡錘形状を有し、その形状の長手方向に沿って便収集格納凹み部ａ２を配置した。
（ロ）、［図２］及び［図１３］［図１４］に示すとおり便収集格納凹み部の周囲輪郭ａ３を連続した滑らかなラインで構成した前記便収集格納凹み部ａ２を螺旋状に配置した。
（ハ）、［図６］［図７］［図８］に示すＡ−Ａ線断面図のとおり便収集格納凹み部ａ２は渦巻き形状断面からなり前記渦巻き形状断面の先端部は丸く（０．５Ｒ程度をかけて）すぼまった形状からなる。
（ニ）、［図６］及び［図１１］に示すＤ−Ｄ線断面図のとおり便収集格納凹み部の前部ａ４にフック部２３を設けた。
（ホ）、［図２］及び［図１３］に示すとおり前記挿入先端部ａ１、便収集格納凹み部ａ２、便収集格納凹み部の周囲輪郭ａ３、便収集格納凹み部の前部ａ４、のそれぞれを長手方向に点対称形的に挿入先端部ｂ５、便収集格納凹み部ｂ６、便収集格納凹み部の周囲輪郭ｂ７、便収集格納凹み部の前部ｂ８として配置し瓢箪形状を与えて長手中央くびれ部９を設けた。
（ヘ）、［図２］及び［図１３］に示すとおり前記挿入先端部ａ１、便収集格納凹み部ａ２、便収集格納凹み部の周囲輪郭ａ３、便収集格納凹み部の前部ａ４、のそれぞれを長手方向に点対称形的に挿入先端部ｂ５、便収集格納凹み部ｂ６、便収集格納凹み部の周囲輪郭ｂ７、便収集格納凹み部の前部ｂ８として配置し瓢箪形状を与えて長手中央くびれ部９を設け、さらに最大径Ｄ２１と最大径Ｄ’２２を異なるように設定した。
本発明は以上の構成よりなる。
【００１４】  以下本発明の使用方法（人間の場合）を述べる。
［図１］に本発明すなわち便秘解消用摘便棒１２を手１５で持って実施している図を示す。もし［図２］に示す挿入先端部ａ１を選んだらその反対側を手に持ち挿入先端部ａ１を［図１］の肛門１４へ向け矢印Ｑ１７方向に回転を与えながら矢印Ｐ１６方向へ便秘解消用摘便棒１２の挿入を開始する。前記（イ）、の挿入先端形状や紡錘形状により肛門への挿入と引き抜きが負担なく出来、また見た目にも安全安心感がある。回転を与える事により便が［図２］の便収集格納凹み部ａ２の中に収集格納され始める。回転角は３６０°程度が望ましいがそれ以上何回転させても良い。
便を収集格納する効果の基本は前記（イ）、によるが（ロ）、（ハ）、（ニ）、（ホ）、はその効果を高める働きをする。
（ロ）、便収集格納凹み部ａ２を螺旋状に配置した事によりさらに摘便効果が高まる。便収集格納凹み部の周囲輪郭ａ３を連続した滑らかなラインで構成する事により挿入と引き抜き及び回転動作をスムーズにし摘便効果も高める。その形状と動きと便の収集格納メカニズムとを調和させているからである。
（ハ）、［図８］に示すとおり便収集格納凹み部ａ２のＡ−Ａ線断面形状を２点鎖線で示される渦巻き形状とした事で回転を与える事による摘便効果を高める。またすぼまった両先端により摘便効果が高まる。両端末に０．５Ｒ程度をかけて丸くしたのは直腸を痛めない効果がある。［図９］［図１０］に回転によって便が収集格納されるメカニズムを示す。この渦巻き形状を有する部分の範囲は［図３］及び［図５］に斜線で示す突出ゾーンＸ１０及び突出ゾーンＹ１１である。各ゾーンの中央部あたりが最も外側へ突出しており、各ゾーンの始点と終点に近づくにつれ外側への突出量はだんだん減って行き最後は渦巻き形状から円形状に近い一般横断面へと変化する。変化の過程でこれを滑らかに除変させる事で便収集格納凹み部の周囲輪郭ａ３の連続した滑らかなラインを確保し、挿入と引き抜きを楽にしている。また見た目にも安全安心感がある。
（ニ）、の働きにより［図６］及び［図１１］［図１２］に示すとおり一旦収集格納された便が引き抜いた後もフック部２３に停まって摘便効果を高めている。
（ホ）、の働きにより本発明を［図２］に示す長手中央くびれ部９まで挿入すると肛門括約筋の働きと相まってそこで挿入が一旦止まろうとする。深く挿入させすぎず本発明全体が挿入されてしまう危険もない。また本発明が長手中央くびれ部９の位置に停まろうとする働きがあるので一旦挿入した後、その位置で回転させ易い。また長手中央くびれ部９は小径なので回転させ易い。
（ヘ）、［図２］のとおり便秘解消用摘便棒の両側に点対称形的類似形状と同機能をもたせ、さらに最大径Ｄ２１と最大径Ｄ’２２が異なるように設定したので使用者は一つで２種類のサイズを選べ、経済的で便利である。
引き抜き時に回転させても摘便効果が得られる。摘便効果のある回転方向は［図１］に示す矢印Ｑ１７、［図９］［図１０］に示す矢印Ｒ１８のとおりどちらか一方に限定される。実施を複数回繰り返す事により摘便をより確実にする。また挿入部分に安全な食用油などを塗ればより実施し易い。
【００１５】以上説明した本発明の実施形態によれば以下のような特徴がある。
従来技術は本当に便秘で困っている人が安全に安心してしかも手軽に使用できるものがなかった。本発明は安全に安心して使用者の自宅の便所にて一人でも使用できる。本発明は従来技術のような機械ではない。テイッシュペーパーや耳かきや綿棒あるいは生理用品の延長線上にあるような安全で手軽、身近なものとして発想されたものである。それらと同様手動が基本である。挿入や回転において力加減をしながら肛門や直腸を傷つけないように繊細に発明を実施する事が出来る。
そのデザインは鋭利な突起のない、流れるような身体にも目にも優しい塊やラインを採用したために使用者に安心感をもたらした事を特徴としている。一つで２種類のサイズを選択できる事も経済的で有り難い。構造、構成がシンプルで製造コストが低く抑えられる可能性は使用者が安心して使える要素である。本発明は複雑な機械化を敢えて避け、人体への安全安心を基本理念として柔軟な発想で考案された点が従来技術とは一線を画している。その事が実用化への道を開く。それが本発明の核心であり新しく進歩的である。また本発明は動物の便秘に対しても人の手による実施によって同様の効果を得られるのが特徴である。
【符号の説明】
【００１６】１    挿入先端部ａ
２    便収集格納凹み部ａ
３    便収集格納凹み部の周囲輪郭ａ
４    便収集格納凹み部の前部ａ
５    挿入先端部ｂ
６    便収集格納凹み部ｂ
７    便収集格納凹み部の周囲輪郭ｂ
８    便収集格納凹み部の前部ｂ
９    長手中央くびれ部
１０  突出ゾーンＸ
１１  突出ゾーンＹ
１２  便秘解消用摘便棒
１３  尻
１４  肛門
１５  手
１６  矢印Ｐ
１７  矢印Ｑ
１８  矢印Ｒ
１９  便
２０  直腸断面
２１  最大径Ｄ
２２  最大径Ｄ’
２３  フック部
【図１】
0006745023.tif 000002
【図２】
0006745023.tif 000003
【図３】
0006745023.tif 000004
【図４】
0006745023.tif 000005
【図５】
0006745023.tif 000006
【図６】
0006745023.tif 000007
【図７】
0006745023.tif 000008
【図８】
0006745023.tif 000009
【図９】
0006745023.tif 000010
【図１０】
0006745023.tif 000011
【図１１】
0006745023.tif 000012
【図１２】
0006745023.tif 000013
【図１３】
0006745023.tif 000014
【図１４】
0006745023.tif 000015
【図１５】
0006745023.tif 000016
【図１６】
0006745023.tif 000017